(57)【特許請求の範囲】
【請求項１】
布に縫目形成を行なう縫目形成装置（１００）に縫糸（３１、３２、３３、３４）を供給するオーバーロックミシンの糸供給装置であって、
糸巻（５１、５２、５３、５４）から給糸される前記縫糸を把持し、前記縫目形成装置により縫目形成時に閉成され、前記布の布送り時に開成される上流側把持器（４０、４１、５０、６０）と、
前記上流側把持器から導かれた前記縫糸を把持し、前記縫目形成時に開成されて前記縫糸が前記縫目形成装置により引出され、前記布の布送り時に閉成される下流側把持器（７０、７１、８０、９０）と、
前記縫目形成装置と同期して直線状の往復運動するよう駆動され、前記布の布送り時に開成された前記上流側把持器および閉成された前記下流側把持器間に延びる糸道の前記縫糸を前記縫目形成装置の１縫目に必要な偏倚量として直線状に偏倚し、前記縫目形成時に前記縫糸を解放する振動子（５０３ａ、５０４ａ、５０３ｂ、５０４ｂ、５０３ｃ、５０４ｃ、５０３ｄ、５０４ｄ）と、
前記振動子の直線状の往復運動と並行に直線状に往復運動され、前記布に縫目形成を行なう縫幅、縫目送り量および（または）布押えによる布厚に応じ変化する１縫目に必要な縫糸量に対応して前記糸道の前記振動子によって偏倚される偏倚量を調節する偏倚子（５１４、５３０、５３１）とを備えることを特徴とするオーバーロックミシンの糸供給装置。
【請求項２】
前記振動子を前記上流側把持器および前記下流側把持器間に給糸方向に隔置して配設された一対の糸案内（Ｇ１、Ｇ２）の間に配置し、前記振動子は前記縫糸を挿入口（Ｅ）から前記一対の糸案内に整致する糸道点（Ｓ）に導入する傾斜部（ＳＳ）を有することを特徴とする請求項１記載のオーバーロックミシンの糸供給装置。
【請求項３】
布に縫目形成を行なう縫目形成装置（１００）の針（９Ａ、９Ｂ）、上ルーパ（２７）、下ルーパ（２１）に針糸（３１、３２）、上ルーパ糸（３３）、下ルーパ糸（３４）をそれぞれ供給するオーバーロックミシンの糸供給装置であって、
糸巻（５１、５２、５３、５４）からそれぞれ給糸される前記針糸、上ルーパ糸、下ルーパ糸を把持し、前記縫目形成装置により縫目形成時に閉成され、前記布の布送り時に開成される針糸上流側把持器（４０、４１）、上ルーパ糸上流側把持器（５０）、下ルーパ糸上流側把持器（６０）と、
前記針糸上流側把持器、上ルーパ糸上流側把持器、下ルーパ糸上流側把持器からそれぞれ導かれた前記針糸、上ルーパ糸、下ルーパ糸を把持し、前記縫目形成時に開成されて前記針糸、上ルーパ糸、下ルーパ糸が前記縫目形成装置により引出され、前記布の布送り時に閉成される針糸下流側把持器（７０、７１）、上ルーパ糸下流側把持器（８０）、下ルーパ糸下流側把持器（９０）と、
それぞれの針、上ルーパ、下ルーパと同期して直線状の往復運動するようそれぞれ駆動され、前記布の布送り時に開成された前記針糸上流側把持器、上ルーパ糸上流側把持器、下ルーパ糸上流側把持器および閉成された前記針糸下流側把持器、上ルーパ糸下流側把持器、下ルーパ糸下流側把持器間にそれぞれ延びる糸道の前記針糸、上ルーパ糸、下ルーパ糸を前記縫目形成装置の１縫目にそれぞれ必要な偏倚量として直線状に偏倚し、前記縫目形成時に前記針糸、上ルーパ糸、下ルーパ糸を解放する針糸振動子（５０３ａ、５０４ａ、５０３ｂ、５０４ｂ）、上ルーパ糸振動子（５０３ｃ、５０４ｃ）、下ルーパ糸振動子（５０３ｄ、５０４ｄ）と、
それぞれの振動子の直線状の往復運動と並行に直線状にそれぞれ往復運動され、前記布に縫目形成を行なう縫幅、縫目送り量および（または）布押えによる布厚に応じ変化する１縫目に必要な縫糸量に対応して前記糸道の前記針糸振動子、前記上ルーパ糸振動子、下ルーパ糸振動子によって偏倚される偏倚量をそれぞれ調節する針糸偏倚子（５１４）、上ルーパ糸偏倚子（５３０）、下ルーパ糸偏倚子（５３１）とを備えることを特徴とするオーバーロックミシンの糸供給装置。
【請求項４】
布に縫目形成を行なう縫目形成装置（１００）の針（９Ａ、９Ｂ）、上ルーパ（２７）、下ルーパ（２１）に針糸（３１、３２）、上ルーパ糸（３３）、下ルーパ糸（３４）をそれぞれ供給するオーバーロックミシンの糸供給装置であって、
糸巻（５１、５２、５３、５４）からそれぞれ給糸される前記針糸、上ルーパ糸、下ルーパ糸を把持し、前記縫目形成装置により縫目形成時に閉成され、前記布の布送り時に開成される針糸上流側把持器（４０、４１）、上ルーパ糸上流側把持器（５０）、下ルーパ糸上流側把持器（６０）と、
前記針糸上流側把持器、上ルーパ糸上流側把持器、下ルーパ糸上流側把持器からそれぞれ導かれた前記針糸、上ルーパ糸、下ルーパ糸を把持し、前記縫目形成時に開成されて前記針糸、上ルーパ糸、下ルーパ糸が前記縫目形成装置により引出され、前記布の布送り時に閉成される針糸下流側把持器（７０、７１）、上ルーパ糸下流側把持器（８０）、下ルーパ糸下流側把持器（９０）と、
それぞれの針、上ルーパ、下ルーパと同期して直線状の往復運動するようそれぞれ駆動され、前記布の布送り時に開成された前記針糸上流側把持器、上ルーパ糸上流側把持器、下ルーパ糸上流側把持器および閉成された前記針糸下流側把持器、上ルーパ糸下流側把持器、下ルーパ糸下流側把持器間にそれぞれ延びる糸道の前記針糸、上ルーパ糸、下ルーパ糸を前記縫目形成装置の１縫目にそれぞれ必要な偏倚量として直線状に偏倚し、前記縫目形成時に前記針糸、上ルーパ糸、下ルーパ糸を解放する針糸振動子（５０３ａ、５０４ａ、５０３ｂ、５０４ｂ）、上ルーパ糸振動子（５０３ｃ、５０４ｃ）、下ルーパ糸振動子（５０３ｄ、５０４ｄ）と、
それぞれの振動子の直線状の往復運動と並行に直線状にそれぞれ往復運動され、前記布に縫目形成を行なう縫幅、縫目送り量および（または）布押えによる布厚に応じ変化する１縫目に必要な縫糸量に対応して前記糸道の前記針糸振動子、前記上ルーパ糸振動子および下ルーパ糸振動子によって偏倚される偏倚量をそれぞれ調節する針糸偏倚子（５１４）、上ルーパ糸偏倚子（５３０）、下ルーパ糸偏倚子（５３１）と、
前記針の本数および（または）前記布の縫幅に応じて前記針糸偏倚子、前記上ルーパ糸偏倚子、前記下ルーパ糸偏倚子を直線状に変移させる切換手段（４００、５００）とを備えることを特徴とするオーバーロックミシンの糸供給装置。
【請求項５】
布に縫目形成を行なう縫目形成装置（１００）の針（９Ａ、９Ｂ）、上ルーパ（２７）、下ルーパ（２１）に針糸（３１、３２）、上ルーパ糸（３３）、下ルーパ糸（３４）をそれぞれ供給するオーバーロックミシンの糸供給装置であって、
糸巻（５１、５２、５３、５４）からそれぞれ給糸される前記針糸、上ルーパ糸、下ルーパ糸を把持し、前記縫目形成装置により縫目形成時に閉成され、前記布の布送り時に開成される針糸上流側把持器（４０、４１）、上ルーパ糸上流側把持器（５０）、下ルーパ糸上流側把持器（６０）と、
前記針糸上流側把持器、上ルーパ糸上流側把持器、下ルーパ糸上流側把持器からそれぞれ導かれた前記針糸、上ルーパ糸、下ルーパ糸を把持し、前記縫目形成時に開成されて前記針糸、上ルーパ糸、下ルーパ糸が前記縫目形成装置により引出され、前記布の布送り時に閉成される針糸下流側把持器（７０、７１）、上ルーパ糸下流側把持器（８０）、下ルーパ糸下流側把持器（９０）と、
それぞれの針、上ルーパ、下ルーパと同期して直線状の往復運動するようそれぞれ駆動され、前記布の布送り時に開成された前記針糸上流側把持器、上ルーパ糸上流側把持器、下ルーパ糸上流側把持器および閉成された前記針糸下流側把持器、上ルーパ糸下流側把持器、下ルーパ糸下流側把持器間にそれぞれ延びる糸道の前記針糸、上ルーパ糸、下ルーパ糸を前記縫目形成装置の１縫目にそれぞれ必要な縫糸量として偏倚し、前記縫目形成時に前記針糸、上ルーパ糸、下ルーパ糸を解放する針糸振動子（５０３ａ、５０４ａ、５０３ｂ、５０４ｂ）、上ルーパ糸振動子（５０３ｃ、５０４ｃ）、下ルーパ糸振動子（５０３ｄ、５０４ｄ）と、
それぞれの振動子の直線状の往復運動と並行に直線状にそれぞれ往復運動され、前記布に縫目形成を行なう縫幅、縫目送り量および（または）布押えによる布厚に応じ変化する１縫目に必要な縫糸量に対応して前記糸道の前記針糸振動子、前記上ルーパ糸振動子および下ルーパ糸振動子によって偏倚される偏倚量をそれぞれ調節する針糸偏倚子（５１４）、上ルーパ糸偏倚子（５３０）、下ルーパ糸偏倚子（５３１）と、
巻ロック縫時には１縫目に必要な前記上ルーパ糸および前記下ルーパ糸の偏倚量を実質的に同量になるように、変形巻ロック縫時には１縫目に必要な前記上ルーパ糸の偏倚量を増量し、前記下ルーパ糸の偏倚量を減量するように前記上ルーパ糸偏倚子、前記下ルーパ糸偏倚子をそれぞれ直線状に変移させる切換手段（５００）とを備えることを特徴とするオーバーロックミシンの糸供給装置。
【発明の詳細な説明】
【発明の属する技術分野】
この発明はオーバーロックミシンの糸供給装置に係り、特に、糸調子作業を不要にして、布に縫目形成を行なう縫目形成装置に縫糸を供給できるオーバーロックミシンの糸供給装置に関する。
【従来の技術及び発明が解決しようとする課題】
従来から、本縫ミシンやオーバーロックミシンにおいては糸調子バネで所定の押圧力に挟持される一対の糸調子皿からなる糸調子器を備え、糸調子皿の間に縫糸を挟持し縫針やルーパによる縫目形成時に縫糸に生じる張力を所定の値に糸調子器で調整して、縫糸の種類や太さが変っても縫目が綺麗に仕上るようにしていた。この場合、糸調子器と針糸天秤やルーパ糸天秤との共働で引き込み、糸締めをして縫糸の繰出しが行われる。これらのミシンでは、糸調子器を調整するための極めて煩雑なマニュアル操作入力が必要になる。特に、オーバーロックミシンにおいては縫糸数が多くなるため、縫糸間の糸調子バランスを取ることが極めて面倒である。
さらに、一対のエンコーダ付ローラとそれぞれに電磁式糸把持器を設け、エンコーダで糸の長さを測定し、各電磁式糸把持器を開閉して縫目形成に必要な縫糸量だけ供給するコンピュータオーバーロックミシンが知られている（特開平２−４５０８８号公報）。このコンピュータオーバーロックミシンでは機構が複雑となり、縫糸の供給量は縫糸の種類、縫糸の太さ、布厚、縫幅などのデータを予めコンピュータに入力するマニュアル操作が必要になり、このマニュアル入力と縫目の仕上りの対応がとりづらいという難点がある。また、このコンピュータオーバーロックミシンでは糸切れが発生したときにもローラが強制的に縫糸を供給するので、無駄な縫糸を繰出してしまうという結果をもたらす。
このため、本出願人は先に糸調子作業を行わずに、適正な糸調子を行うミシン糸供給装置を提案している（特開平９−１９５８３号公報）。このミシン糸供給装置では、縫糸を縫目形成装置の１縫目に必要な縫糸量として蓄糸し、縫目形成時に放糸する蓄糸器を使用していることから、機構が複雑で製造の精度を確保するのが難しく、また耐久性も低く、高速縫製に対応できないという課題があった。また、このミシン糸供給装置では、針の本数や変形巻ロック縫に対応するという市場の要求に応えるものではなかった。
本発明は、このような従来の要求を満足するためになされたもので、機構が簡素化され製造の精度を確保でき、また耐久性も向上し、高速縫製に対応できるオーバーロックミシンの糸供給装置を提供することを目的とする。
【課題を解決するための手段】
このような目的を達成するため本発明は、布に縫目形成を行なう縫目形成装置に縫糸を供給するオーバーロックミシンの糸供給装置であって、糸巻から給糸される縫糸を把持し、縫目形成装置により縫目形成時に閉成され、布の布送り時に開成される上流側把持器と、上流側把持器から導かれた縫糸を把持し、縫目形成時に開成されて縫糸が縫目形成装置により引出され、布の布送り時に閉成される下流側把持器と、縫目形成装置と同期して直線状の往復運動するよう駆動され、布の布送り時に開成された上流側把持器および閉成された下流側把持器間に延びる糸道の縫糸を縫目形成装置の１縫目に必要な偏倚量として直線状に偏倚し、縫目形成時に縫糸を解放する振動子と、振動子の直線状の往復運動と並行に直線状に往復運動され、布に縫目形成を行なう縫幅、縫目送り量および（または）布押えによる布厚に応じ変化する１縫目に必要な縫糸量に対応して糸道の振動子によって偏倚される偏倚量を調節する偏倚子とを備えるものである。
また、本発明のオーバーロックミシンの糸供給装置においては、振動子を上流側把持器および下流側把持器間に給糸方向に隔置して配設された一対の糸案内の間に配置し、振動子は縫糸を挿入口から一対の糸案内に整致する糸道点に導入する傾斜部を有するものが好ましい。
また、本発明は、布に縫目形成を行なう縫目形成装置の針、上ルーパ、下ルーパに針糸、上ルーパ糸、下ルーパ糸をそれぞれ供給するオーバーロックミシンの糸供給装置であって、糸巻からそれぞれ給糸される針糸、上ルーパ糸、下ルーパ糸を把持し、縫目形成装置により縫目形成時に閉成され、布の布送り時に開成される針糸上流側把持器、上ルーパ糸上流側把持器、下ルーパ糸上流側把持器と、針糸上流側把持器、上ルーパ糸上流側把持器、下ルーパ糸上流側把持器からそれぞれ導かれた針糸、上ルーパ糸、下ルーパ糸を把持し、縫目形成時に開成されて針糸、上ルーパ糸、下ルーパ糸が縫目形成装置により引出され、布の布送り時に閉成される針糸下流側把持器、上ルーパ糸下流側把持器、下ルーパ糸下流側把持器と、それぞれの針、上ルーパ、下ルーパと同期して直線状の往復運動するようそれぞれ駆動され、布の布送り時に開成された針糸上流側把持器、上ルーパ糸上流側把持器、下ルーパ糸上流側把持器および閉成された針糸下流側把持器、上ルーパ糸下流側把持器、下ルーパ糸下流側把持器間にそれぞれ延びる糸道の針糸、上ルーパ糸、下ルーパ糸を縫目形成装置の１縫目にそれぞれ必要な偏倚量として直線状に偏倚し、縫目形成時に針糸、上ルーパ糸、下ルーパ糸を解放する針糸振動子、上ルーパ糸振動子、下ルーパ糸振動子と、それぞれの振動子の直線状の往復運動と並行に直線状にそれぞれ往復運動され、布に縫目形成を行なう縫幅、縫目送り量および（または）布押えによる布厚に応じ変化する１縫目に必要な縫糸量に対応して糸道の針糸振動子、上ルーパ糸振動子、下ルーパ糸振動子によって偏倚される偏倚量をそれぞれ調節する針糸偏倚子、上ルーパ糸偏倚子、下ルーパ糸偏倚子とを備えるものである。
また、本発明は、布に縫目形成を行なう縫目形成装置の針、上ルーパ、下ルーパに針糸、上ルーパ糸、下ルーパ糸をそれぞれ供給するオーバーロックミシンの糸供給装置であって、
糸巻からそれぞれ給糸される針糸、上ルーパ糸、下ルーパ糸を把持し、縫目形成装置により縫目形成時に閉成され、布の布送り時に開成される針糸上流側把持器、上ルーパ糸上流側把持器、下ルーパ糸上流側把持器と、
針糸上流側把持器、上ルーパ糸上流側把持器、下ルーパ糸上流側把持器からそれぞれ導かれた針糸、上ルーパ糸、下ルーパ糸を把持し、縫目形成時に開成されて針糸、上ルーパ糸、下ルーパ糸が縫目形成装置により引出され、布の布送り時に閉成される針糸下流側把持器、上ルーパ糸下流側把持器、下ルーパ糸下流側把持器と、
それぞれの針、上ルーパ、下ルーパと同期して直線状の往復運動するようそれぞれ駆動され、布の布送り時に開成された針糸上流側把持器、上ルーパ糸上流側把持器、下ルーパ糸上流側把持器および閉成された針糸下流側把持器、上ルーパ糸下流側把持器、下ルーパ糸下流側把持器間にそれぞれ延びる糸道の針糸、上ルーパ糸、下ルーパ糸を縫目形成装置の１縫目にそれぞれ必要な偏倚量として直線状に偏倚し、縫目形成時に針糸、上ルーパ糸、下ルーパ糸を解放する針糸振動子、上ルーパ糸振動子、下ルーパ糸振動子と、
それぞれの振動子の直線状の往復運動と並行に直線状にそれぞれ往復運動され、布に縫目形成を行なう縫幅、縫目送り量および（または）布押えによる布厚に応じ変化する１縫目に必要な縫糸量に対応して糸道の針糸振動子、上ルーパ糸振動子および下ルーパ糸振動子によって偏倚される偏倚量をそれぞれ調節する針糸偏倚子、上ルーパ糸偏倚子、下ルーパ糸偏倚子と、
針の本数および（または）布の縫幅に応じて針糸偏倚子、上ルーパ糸偏倚子、下ルーパ糸偏倚子を直線状に変移させる切換手段とを備えるものである。
また、本発明は、布に縫目形成を行なう縫目形成装置の針、上ルーパ、下ルーパに針糸、上ルーパ糸、下ルーパ糸をそれぞれ供給するオーバーロックミシンの糸供給装置であって、糸巻からそれぞれ給糸される針糸、上ルーパ糸、下ルーパ糸を把持し、縫目形成装置により縫目形成時に閉成され、布の布送り時に開成される針糸上流側把持器、上ルーパ糸上流側把持器、下ルーパ糸上流側把持器と、針糸上流側把持器、上ルーパ糸上流側把持器、下ルーパ糸上流側把持器からそれぞれ導かれた針糸、上ルーパ糸、下ルーパ糸を把持し、縫目形成時に開成されて針糸、上ルーパ糸、下ルーパ糸が縫目形成装置により引出され、布の布送り時に閉成される針糸下流側把持器、上ルーパ糸下流側把持器、下ルーパ糸下流側把持器と、それぞれの針、上ルーパ、下ルーパと同期して直線状の往復運動するようそれぞれ駆動され、布の布送り時に開成された針糸上流側把持器、上ルーパ糸上流側把持器、下ルーパ糸上流側把持器および閉成された針糸下流側把持器、上ルーパ糸下流側把持器、下ルーパ糸下流側把持器間にそれぞれ延びる糸道の針糸、上ルーパ糸、下ルーパ糸を縫目形成装置の１縫目にそれぞれ必要な縫糸量として偏倚し、縫目形成時に針糸、上ルーパ糸、下ルーパ糸を解放する針糸振動子、上ルーパ糸振動子、下ルーパ糸振動子と、それぞれの振動子の直線状の往復運動と並行に直線状にそれぞれ往復運動され、布に縫目形成を行なう縫幅、縫目送り量および（または）布押えによる布厚に応じ変化する１縫目に必要な縫糸量に対応して糸道の針糸振動子、上ルーパ糸振動子および下ルーパ糸振動子によって偏倚される偏倚量をそれぞれ調節する針糸偏倚子、上ルーパ糸偏倚子、下ルーパ糸偏倚子と、巻ロック縫時には１縫目に必要な上ルーパ糸および下ルーパ糸の偏倚量を実質的に同量になるように、変形巻ロック縫時には１縫目に必要な上ルーパ糸の偏倚量を増量し、下ルーパ糸の偏倚量を減量するように上ルーパ糸偏倚子、下ルーパ糸偏倚子をそれぞれ直線状に変移させる切換手段とを備えるものである。
このようなオーバーロックミシンにおいて、布送り時は、縫目形成装置に連動して上流側把持器が開成され、下流側把持器が閉成されるので、この間に振動子が上流側把持器および下流側把持器間に延びる糸道の縫糸を偏倚することにより、縫目形成装置の１縫目に必要な縫糸量を確保することができる。そして、縫目形成時は、縫目形成装置に連動して上流側把持器が閉成され、下流側把持器が開成されるので、この間に振動子が上流側把持器および下流側把持器間に延びる糸道の縫糸を開放することにより、縫目形成装置の１縫目に必要な縫糸量を供給することができる。
なお、布に縫目形成を行う縫幅、縫目送り量および（または）布押えによる布厚に応じ変化する１縫目に必要な縫糸量に対応させるために、偏倚子で振動子によって偏倚される偏倚量を調節することができる。
【発明の実施の形態】
以下、本発明のオーバーロックミシンの糸供給装置の実施の形態を２本針４本糸オーバロックミシンに組み込んだ状態で、図面を参照して説明する。
２本針４本糸オーバロックミシンは図１に示すように、機枠１に、はずみ車２に固定された駆動軸３が軸承されている。はずみ車２はモータＭによってタイミングベルトＢを介して回転駆動される。
駆動軸３には針駆動偏心カム４（図２）が設けられ、針駆動偏心カム４にはカムフォロアである針駆動ロッド５（図２）の下端部が枢着され、針駆動ロッド５の他端は機枠１に枢支された針駆動腕６に枢着されている。針駆動腕６のＵ字形の先端部６ａには連結ピン１０により針留リンク７が枢支されている。針留リンク７は機枠１に固定された案内棒１１に摺動可能に取り付けられた針留８に連結ピン１２により枢着されている。針留８には左針９Ａ、右針９Ｂが固定されている。
また、駆動軸３には図２に示すように、下ルーパ駆動傾斜カム１３、上ルーパ駆動傾斜カム１４が固定され、下ルーパ駆動傾斜カム１３、上ルーパ駆動傾斜カム１４にはそれぞれ下ルーパ駆動二又１５、上ルーパ駆動二又１６に取り付けられたカムフォロアであるローラ１７、１８が係合されている。下ルーパ駆動二又１５は下ルーパ駆動軸１９にピン２０により枢着されている。下ルーパ駆動軸１９には下ルーパ２１が固定されている。上ルーパ駆動二又１６は上ルーパ駆動軸２２にピン２３により枢着されている。上ルーパ駆動軸２２には上ルーパ駆動腕２４の一端が固定され、上ルーパ駆動腕２４の他端には上ルーパ取付軸２５が枢着されている。上ルーパ取付軸２５は機枠１に回動可能に装着されたピボット２６に摺動可能に軸支されている。上ルーパ取付軸２５の上端には上ルーパ２７が固定されている。
さらに、駆動軸３には図３に示すように、縫目送り調節部９００の部品である水平送りカム９１０が固定されている。この縫目送り調節部９００は主送り歯９０１および副送り歯９０２がそれぞれ布送り方向に前後するように主送り歯取付軸９０３、副送り歯取付軸９０４に固定され、主送り歯取付軸９０３、副送り歯取付軸９０４は送り土台９０５の２つの支持部９０５ａ、９０５ｂに摺動自在に支持されている。これら主送り歯取付軸９０３および副送り歯取付軸９０４には主送り駆動体９０６および副送り駆動体９０７が嵌装されており、主送り歯取付軸９０３は主送り駆動体９０６に固定され、副送り駆動体９０７に対しては摺動自在になっている。同様に副送り歯取付軸９０４は副送り駆動体９０７に固定され、主送り駆動体９０６に対しては摺動自在になっている。これら部材を支持する送り土台９０５は、円筒状のボス部９０５ｃを有し、この円筒状のボス部９０５ｃで土台軸９０８に支持されている。土台軸９０８は機枠１に枢支される。
一方、駆動軸３に固定された水平送りカム９１０には水平送りロッド９１１が嵌合されている。水平送りロッド９１１の一端は主送り駆動腕９１２の一端９１２ａに連結され、主送り駆動腕９１２の長方形の孔９１２ｂには主送りスライドロッド９１３が２つの止め板９１４Ａ、９１４Ｂで挟持され摺動自在に支持されている。主送りスライドロッド９１３は送り土台９０５の円筒状のボス部９０５ｃに近い部分に揺動軸（図示せず）によって支持されている。主送り駆動腕９１２の他端９１２ｃは、主送りリンク９１６を介して主送り歯取付け軸９０３に固定された主送り駆動体９０６に連結されている。
また、送り土台９０５には主送り駆動腕９１２が取付けられる側の反対側に副送りスライドロッド９１８が揺動軸９１５によって支持されており、副送りスライドロッド９１８は副送り駆動腕９１７の長方形の孔９１７ａ内に２つの止め板（図示せず）で挟持されて摺動自在に支持されている。副送り駆動腕９１７には、主送りスライドロッド９１３および主送り駆動腕９１２の揺動運動を伝達する連結ロッド９２０が連結されている。連結ロッド９２０は、主送り駆動体９０６に連結されている。一方、副送り駆動腕９１７の一端９１７ｂは、副送りリンク９２１を介して副送り歯取付け軸９０４に固定された副送り駆動体９０７に連結されている。
このように構成された縫目送り調節部９００には、主送りを調節するために送り目調節ダイヤル９３０が設けられている。この送り目調節ダイヤル９３０は送りダイヤル軸９３６を介して略半円板９３１に固定され、略半円板９３１はリンク９３２および調節板９３３を介して調節腕９３４に連結されている。調節腕９３４は土台軸９０８に軸支され、腕部９３４ａは調節リンク９３５を介して主送り駆動腕９１２の一端９１２ａに連結されている。また、調節腕９３４には後述する糸調子微調整手段４００の縫目送り調節腕４２１が固定ねじ４２２によって固定されている。なお、副送りを調節するために差動調節レバー９４０（図１）が設けられている。この差動調節レバー９４０はリンク、土台軸、副送り駆動腕等を介して副送り駆動腕９１７の他端９１７ｃに連結されている。
このような縫目送り調節部９００の主送り歯９０１および副送り歯９０２は、機枠１に摺動可能に取着された押棒１０５１の先端に固定された布押え１０５０によって針板９３７（図１）に押えられた布を、適切な布送り量で移動させることができる。
また、２本針４本糸オーバロックミシンには、縫製直前に布の縁を切りそろえるためのメス駆動機構３６で布切り幅（メス切り幅）を変更するために、図４に示すような縫幅調節部８００を有している。縫幅調節部８００は機枠１に固定された軸８０１に縫幅調節ダイヤル８０２が螺合され、この縫幅調節ダイヤル８０２によって下メス土台８０３が軸支されている。なお、下メス土台８０３は機枠１に固定された回転止め軸８０４によって、回転方向の動きを規制されている。
このように構成されたオーバーロックミシンの縫目形成装置１００の左針９Ａ、右針９Ｂ、上ルーパ２７、下ルーパ２１により、布に縫目形成を行なう。この縫目形成装置１００の左針９Ａ、右針９Ｂ、上ルーパ２７、下ルーパ２１に各縫糸を供給するために糸供給装置が使用される。
糸供給装置は図５に示すように、糸巻５１、５２、５３、５４からそれぞれ給糸される左針糸３１、右針糸３２、上ルーパ糸３３、下ルーパ糸３４を把持し、縫目形成装置１００により縫目形成時に閉成され、布の布送り時に開成される左針糸上流側把持器４０、右針糸上流側把持器４１、上ルーパ糸上流側把持器５０、下ルーパ糸上流側把持器６０（図１、図６）を備えている。
左針糸上流側把持器４０、右針糸上流側把持器４１、上ルーパ糸上流側把持器５０、下ルーパ糸上流側把持器６０は、それぞれ図１、図６、図７、図８ように、機枠１に固定された糸供給ユニット基板５０１に固着された５つの上流側把持器支板４３それぞれに枢着される上流側把持軸４２と、上流側把持軸４２に一対の把持皿４４、加圧ばね受け４５、圧縮ばね４６、スラスト受け４７、ばね受け４８とを有している。
この一対の把持皿４４、加圧ばね受け４５、圧縮ばね４６、スラスト受け４７およびばね受け４８はセットで上流側把持器支板４３間にそれぞれ設けられている。具体的には、上流側把持軸４２に軸着された加圧ばね受け４５とばね受け４８との間に圧縮ばね４６が介在されている。また、上流側把持軸４２には一対の把持皿４４と加圧ばね受け４５との間にスラスト受け４７が螺着されている。このスラスト受け４７は布送り時に左針糸３１、右針糸３２、上ルーパ糸３３および下ルーパ糸３４を開放するために、加圧ばね受け４５を介して一対の把持皿４４を所定位置に停止させるものである。
また、糸供給装置は、左針糸上流側把持器４０、右針糸上流側把持器４１、上ルーパ糸上流側把持器５０、下ルーパ糸上流側把持器６０からそれぞれ導かれる左針糸３１、右針糸３２、上ルーパ糸３３、下ルーパ糸３４を把持し、縫目形成時に開成されて左針糸３１、右針糸３２、上ルーパ糸３３、下ルーパ糸３４が縫目形成装置１００により引出され、布の布送り時に閉成される左針糸下流側把持器７０、右針糸下流側把持器７１、上ルーパ糸下流側把持器８０、下ルーパ糸下流側把持器９０を備えている。
左針糸下流側把持器７０、右針糸下流側把持器７１、上ルーパ糸下流側把持器８０、下ルーパ糸下流側把持器９０は、それぞれ図１、図６、図８、図９、図１０に示すように、機枠１に固定された糸供給ユニット基板５０１に偏倚子支軸５１１、スペーサ５１２と、振動子支軸５０８Ａ、スペーサ５０９Ａと、振動子支軸５０８Ｂ、スペーサ５０９Ｂと、偏倚子支軸５２１、スペーサ５２２とを介して結合ねじ５１０で固定される糸供給ユニット前板５０２に設けられている。このような左針糸下流側把持器７０、右針糸下流側把持器７１、上ルーパ糸下流側把持器８０、下ルーパ糸下流側把持器９０は、糸供給ユニット前板５０２に固着された５つの下流側把持器支板７３それぞれに枢着される下流側把持軸７２と、この下流側把持軸７２に一対の把持皿４４、加圧ばね受け４５、圧縮ばね４６、スラスト受け４７、ばね受け４８とを有している。
この一対の把持皿４４、加圧ばね受け４５、圧縮ばね４６、スラスト受け４７およびばね受け４８はセットで下流側把持器支板７３間にそれぞれ設けられている。具体的には、下流側把持軸７２に軸着された加圧ばね受け４５とばね受け４８との間に圧縮ばね４６が介在されている。また、下流側把持軸７２には一対の把持皿４４と加圧ばね受け４５との間にスラスト受け４７が螺着されている。このスラスト受け４７は縫目形成時に左針糸３１、右針糸３２、上ルーパ糸３３および下ルーパ糸３４を開放するために、加圧ばね受け４５を介して一対の把持皿４４を所定位置に停止させるものである。
また、糸供給装置は図６、図７、図９に示すように、左針糸上流側把持器４０、右針糸上流側把持器４１、上ルーパ糸上流側把持器５０、下ルーパ糸上流側把持器６０を縫目形成時に閉成し、布の布送り時に開成し、左針糸下流側把持器７０、右針糸下流側把持器７１、上ルーパ糸下流側把持器８０、下ルーパ糸下流側把持器９０を縫目形成時に開成し、布の布送り時に閉成する糸供給駆動部３００を備えている。この糸供給駆動部３００は、駆動軸３に固着された糸供給駆動部プーリ３０１の回転をタイミングベルト３０３（図１）を介して左針糸上流側把持器４０、右針糸上流側把持器４１、上ルーパ糸上流側把持器５０、下ルーパ糸上流側把持器６０、および左針糸下流側把持器７０、右針糸下流側把持器７１、上ルーパ糸下流側把持器８０、下ルーパ糸下流側把持器９０へ伝達するものである。
このような糸供給駆動部３００は、糸供給駆動部プーリ３０１の回転を伝達するタイミングベルト３０３が巻き掛けられる糸供給駆動軸プーリ３０２が、糸供給ユニット基板５０１に固着された糸供給駆動軸受３０５に軸支される糸供給駆動軸３０４の一端に固着され、この糸供給駆動軸３０４の他端には正面カムが形成された糸把持駆動カム３０７が固着されている。糸把持駆動カム３０７の正面カムは縫目形成時に左針糸上流側把持器４０、右針糸上流側把持器４１、上ルーパ糸上流側把持器５０、下ルーパ糸上流側把持器６０を閉成し、左針糸３１、右針糸３２、上ルーパ糸３３、下ルーパ糸３４を把持し、布の布送り時に開成するよう縫目形成装置１００と同期するように形成されている。
このような左針糸上流側把持器４０、右針糸上流側把持器４１、上ルーパ糸上流側把持器５０、下ルーパ糸上流側把持器６０、および左針糸下流側把持器７０、右針糸下流側把持器７１、上ルーパ糸下流側把持器８０、下ルーパ糸下流側把持器９０をそれぞれ閉成、開成するために、糸供給駆動部３００は把持器開閉駆動機構３００Ａを有している。この把持器開閉駆動機構３００Ａは、糸把持駆動カム３０７の正面カムによって作動するカムフォロア３０８がそれぞれ軸３０９にて軸着された下流側把持器駆動腕３１０および上流側把持器開放腕３１１を備えている。この下流側把持器駆動腕３１０および上流側把持器開放腕３１１は、糸供給ユニット基板５０１と糸供給ユニット前板５０２との間に挟持された把持器駆動軸受３１３に軸支される把持器駆動軸３１２の一端に固定され、この把持器駆動軸３１２の他端には下流側把持器開放腕３１４が固定されている。
このように構成された把持器開閉駆動機構３００Ａは、糸把持駆動カム３０７が回転することにより上流側把持器開放腕３１１が上流側把持軸４２の一端を、下流側把持器開放腕３１４が下流側把持器駆動腕３１０を介して下流側把持軸７２の一端をそれぞれ押し上げることができる。
さらに、糸供給装置は図１０に示すように、左針９Ａ、右針９Ｂ、上ルーパ２７、下ルーパ２１と同期してそれぞれ駆動され、布の布送り時に開成された左針糸上流側把持器４０、右針糸上流側把持器４１、上ルーパ糸上流側把持器５０、下ルーパ糸上流側把持器６０および閉成された左針糸下流側把持器７０、右針糸下流側把持器７１、上ルーパ糸下流側把持器８０、下ルーパ糸下流側把持器９０間にそれぞれ延びる糸道の左針糸３１、右針糸３２、上ルーパ糸３３、下ルーパ糸３４を縫目形成装置１００の１縫目にそれぞれ必要な縫糸量として偏倚し、縫目形成時に左針糸３１、右針糸３２、上ルーパ糸３３、下ルーパ糸３３を解放する一対の振動子５０３、５０４を備えている。
この一対の振動子５０３、５０４には、左針糸３１、右針糸３２、上ルーパ糸３３、下ルーパ糸３３に対応した左針糸振動子５０３ａ、５０４ａ、右針糸振動子５０３ｂ、５０４ｂ、上ルーパ糸振動子５０３ｃ、５０４ｃ、下ルーパ振動子５０３ｄ、５０４ｄがそれぞれ形成されている。左針糸振動子５０３ａ、５０４ａ、右針糸振動子５０３ｂ、５０４ｂ、上ルーパ糸振動子５０３ｃ、５０４ｃ、下ルーパ糸振動子５０３ｄ、５０４ｄには、それぞれ左針糸３１、右針糸３２、上ルーパ糸３３、下ルーパ糸３３を各挿入口Ｅから糸供給ユニット基板５０１および糸供給ユニット前板５０２に形成された各一対の糸案内Ｇ１、Ｇ２に整致する糸道点Ｓに導入する傾斜部ＳＳを有している。
このような一対の振動子５０３、５０４は、右針糸上流側把持器４１、上ルーパ糸上流側把持器５０、下ルーパ糸上流側把持器６０および左針糸下流側把持器７０、右針糸下流側把持器７１、上ルーパ糸下流側把持器８０、下ルーパ糸下流側把持器９０間に給糸方向に隔置して配設された糸供給ユニット基板５０１および糸供給ユニット前板５０２間に配置されている。具体的には、一対の振動子５０３、５０４はスペーサ５０６を介して振動子駆動軸５０５の一方に形成された雄ねじ部およびナット５０７で連結され、この連結された一対の振動子５０３、５０４は糸供給ユニット基板５０１および糸供給ユニット前板５０２間に固定された振動子支軸５０８Ａ、５０８Ｂによって振動可能に支持されている。また、振動子駆動軸５０５の他方にはカムフォロワ５２５が固定され、このカムフォロワ５２５は糸供給ユニット基板５０１に穿設された穴５０１ｂから突出して、糸供給駆動軸３０４に固着された振動子駆動カム３０６の溝３０６ａに係合している（図７、図１１）。この振動子駆動カム３０６の溝３０６ａは、糸供給駆動軸３０４の回転により振動子駆動軸５０５を介して一対の振動子５０３、５０４を振動させることができるように凹設されている。
また、糸供給装置は図１０に示すように、布に縫目形成を行う縫幅、縫目送り量に応じ変化する１縫目に必要な各縫糸量に対応して糸道の一対の振動子５０３、５０４によって偏倚される各偏倚量をそれぞれ調節する針糸偏倚子５１４、上ルーパ糸偏倚子５３０、下ルーパ糸偏倚子５３１を有している。
針糸偏倚子５１４、上ルーパ糸偏倚子５３０、下ルーパ糸偏倚子５３１は、一対の振動子５０３、５０４間に配置されている。針糸偏倚子５１４には左針糸３１および右針糸３２を導入するための糸溝５１４ｂ、５１４ｃが形成され、糸供給ユニット基板５０１および糸供給ユニット前板５０２間に固定された偏倚子支軸５１１および一方の振動子支軸５０８Ａによって、給糸方向に対して垂直な方向に移動可能に支持されている。また、針糸偏倚子５１４の一端には孔５１４ａが穿設され、糸供給ユニット基板５０１に段ねじ５１９で軸着された縫目送り調節偏倚レバー５２０の一端に突設された針糸偏倚子駆動軸５２０ａが挿入されている。この縫目送り調節偏倚レバー５２０にはばね掛け５２０ｂが突設され、このばね掛け５２０ｂと糸供給ユニット基板５０１に突設されたピン５０１ａとの間には引張ばね５１８が張設されている。また、縫目送り調節偏倚レバー５２０には、かしめ段ピン５１６にて連接リンク５１７の一端が軸着され、連接リンク５１７の他端はかしめ段ピン５１５にて偏倚調節板５１３に軸着されている。この偏倚調節板５１３は、偏倚子支軸５１１および一方の振動子支軸５０８Ａによって、給糸方向に対して垂直な方向に移動可能に支持されている。
これにより、縫目送り調節偏倚レバー５２０はミシンを縫製作業者側から見て時計方向に常時回転弾撥されるので、針糸偏倚子５１４および偏倚調節板５１３は右方向へ水平弾撥されることになる。
上ルーパ糸偏倚子５３０および下ルーパ糸偏倚子５３１は、上ルーパ糸３３および下ルーパ糸３４を導入するための糸溝５３０ｄおよび５３１ｃがそれぞれ形成され、糸供給ユニット基板５０１および糸供給ユニット前板５０２間に固定された偏倚子支軸５２１および他方の振動子支軸５０８Ｂによって、給糸方向に対して垂直な方向に移動可能に支持されている。上ルーパ糸偏倚子５３０の一端には第１のばね掛け５３０ａが突設され、この第１のばね掛け５３０ａと、糸供給ユニット前板５０２の一端に突設されたばね掛け５０２ｅとの間には引張りばね５３３が張設されている。これにより、上ルーパ糸偏倚子５３０は、糸供給ユニット前板５０２側から見て右方向へ水平弾撥されることになる。また、上ルーパ糸偏倚子５３０の他端には第２のばね掛け５３０ｂが突設され、この第２のばね掛け５３０ｂと、下ルーパ糸偏倚子５３１の一端に突設されたばね掛け５３１ａとの間には引張りばね５３２が張設されている。これにより、下ルーパ糸偏倚子５３１は糸供給ユニット前板５０２側から見て左方向へ水平弾撥されることになる。
このような糸供給装置は、巻ロック縫時には１縫目に必要な上ルーパ糸３３および下ルーパ糸３４の偏倚量を実質的に同量になるように、変形巻ロック縫時には１縫目に必要な上ルーパ糸３３の偏倚量を増量し、下ルーパ糸３４の偏倚量を減量するように上ルーパ糸偏倚子５３０および下ルーパ糸偏倚子５３１を変移させる切換手段である縫目切換手段５００を備えている（図１）。
縫目切換手段５００は図１２に示すように、縫目選択ダイヤル５６０を回転させて縫目切換カム板５５０を水平移動させることにより巻ロック縫、変形巻ロック縫、１本針オーバロック縫および２本針オーバロック縫に切換えることができる。この縫目切換カム板５５０には巻ロック縫および変形巻ロック縫に切換えるための巻ロック切換カム５５０ａと、１本針オーバロック縫および２針オーバロック縫に切換えるためのルーパ糸補正カム５５０ｂとが穿設され、糸供給ユニット基板５０１に固定された２本の縫目切換カム板支軸５５１Ａ、５５１Ｂに水平方向へ移動可能に支持されている。
一方の縫目切換カム板支軸５５１Ａにはルーパ糸補正腕５５２の一端が軸着され、ルーパ糸補正腕５５２の他端は縫目切換カム板５５０のルーパ糸補正カム５５０ｂに係合されるルーパ糸補正カムフォロワ５５３に軸着されている。また、ルーパ糸補正カムフォロワ５５３にはルーパ糸補正リンク５５４の一端が軸着され、ルーパ糸補正リンク５５４の他端に突設された滑車軸５５４ａは偏倚調節板５１３に穿設されたカム溝５１３ａ（図１０）に係合されている。
他方の縫目切換カム板支軸５５１Ｂには巻ロック切換腕５５７の一端が軸着され、巻ロック切換腕５５７の他端は縫目切換カム板５５０のルーパ糸補正カム５５０ａに係合される巻ロックカムフォロワ５５６に軸着されている。また、巻ロックカムフォロワ５５６には巻ロック切換リンク５５８の一端が軸着され、巻ロック切換リンク５５８の他端に突設された巻ロック切換駒５５８ａは上ルーパ糸偏倚子５３０および下ルーパ糸偏倚子５３１にそれぞれ形成される端面カム５３０ｃおよび５３１ｂ（図１０）に係合されている。この端面カム５３０ｃおよび５３１ｂは巻ロック切換駒５５８ａが上昇してくると、上ルーパ糸偏倚子５３０の挿入口５３０ｄおよび下ルーパ糸偏倚子５３１の挿入口５３１ｃ（図１０）が互いに離間していくような関係に構成されている。
縫目選択ダイヤル５６０は、機枠１に固定された縫目選択ダイヤル支持台５６７に軸支された縫目選択ダイヤル軸５６１の一端に固定され、縫目選択ダイヤル軸５６１の他端は縫目選択腕５６２に固定され、縫目選択腕５６２の先端は連結リンク５６４の一端に軸着され、連結リンク５６４の他端は縫目切換カム板５５０の一端に、かしめ段ピン５６５にて軸着されている。
このように構成された糸供給装置は、上ルーパ糸偏倚子５３０および下ルーパ糸偏倚子５３１を縫幅調節部８００（図１）の縫幅調節ダイヤル８０２の操作に応じ変化する１縫目に必要な縫糸量に対応して連動させて駆動するために、図４、図１０、図１３、図１４に示すような糸調子微調整手段４００を有している。糸調子微調整手段４００は縫幅調節部８００の下メス土台８０３と上ルーパ糸偏倚子５３０に突設されたワイヤ掛け５３０ｅとを縫幅調節連動ワイヤ４１０で連結し、また縫目送り調節部９００の調節腕９３４に固定された縫目送り調節腕４２１に突設されたワイヤ掛け４２１ａ（図３）と縫目送り調節偏倚レバー５２０のワイヤ掛け５２０ｃとを縫目送り調節連動ワイヤ４２０で連結するものである。
縫幅調節連動ワイヤ４１０は滑車４１２、滑車４０４Ａ、滑車４２４Ａおよび滑車５５５に巻き掛けられて下メス土台８０３から上ルーパ糸偏倚子５３０に、縫目送り調節連動ワイヤ４２０は滑車４０４Ｂ、滑車４２４Ｂおよび滑車５２４に巻き掛けられて縫目送り調節腕４２１から縫目送り調節偏倚レバー５２０にそれぞれ導かれている。滑車４１２は機枠１の縫幅調節部８００側に軸４１１にて回動自在に固定され、滑車４２４Ａ、４２４Ｂは機枠１の中央部付近に固定された中間滑車台４２３に突設された軸にそれぞれ回動自在に固定されている。滑車４０４Ａ、４０４Ｂは微調整滑車軸４０３Ａ、４０３Ｂに回動自在に固定され、この微調整滑車軸４０３Ａ、４０３Ｂは機枠１の縫目送り調節部９００側に固定された糸調子微調整台４０１に穿設されている長円孔に、縫幅微調整台４０２Ａ、４０２Ｂを取付座にして取付けられている。縫幅微調整台４０２Ａ、４０２Ｂはそれぞれ糸調子微調整台４０１に対して縫幅微調整ねじ４０６で移動可能に取付けられており、この縫幅微調整台４０２Ａ、４０２Ｂと糸調子微調整台４０１との間には圧縮ばね４０５が介在され、縫幅微調整台４０２Ａ、４０２Ｂを常時所定方向へ弾撥している。したがって、縫幅微調整ねじ４０６によって滑車４０４Ａ、４０４Ｂの固定位置を変化させることができる。
また、滑車５５５は偏倚調節板５１３のカム溝５１３ａから突出している縫目切換手段５００のルーパ糸補正リンク５５４に突設された滑車軸５５４ａに、滑車５２４は糸供給ユニット基板５０１に突設された滑車軸５２３にそれぞれ回動自在に固定されている。
以上のような構成における糸供給装置の動作について説明する。なお、動作説明において、方向性を示す場合はミシンを縫製作業者側から見たものとする。
まず、左針糸、右針糸、上ルーパ糸、下ルーパ糸の各糸巻５１、５２、５３、５４からそれぞれ左針糸３１、右針糸３２、上ルーパ糸３３、下ルーパ糸３４を引出し、糸案内３７（図５）を経て各糸をそれぞれ左針糸上流側把持器４０、右針糸上流側把持器４１、上ルーパ糸上流側把持器５０、下ルーパ糸上流側把持器６０の各一対の把持皿４４間、糸供給ユニット基板５０１の各縫糸に対応した糸案内Ｇ１、振動子５０３の各挿入口Ｅ、針糸偏倚子５１４の各挿入口５１４ｂ、５１４ｃ、上ルーパ糸偏倚子５３０の挿入口５３０ｄ、下ルーパ糸偏倚子５３１の挿入口５３１ｃ、振動子５０４の各挿入口Ｅ、糸供給ユニット前板５０２の各縫糸に対応した糸案内Ｇ２および左針糸下流側把持器７０、右針糸下流側把持器７１、上ルーパ糸下流側把持器８０、下ルーパ糸下流側把持器９０の各一対の把持皿４４間にそれぞれ挿入する。挿入後、左針糸３１は糸案内２９、針糸天秤２９を経て左針９Ａの針穴に、右針糸３２は糸案内２８、針糸天秤２９を経て左針９Ｂの針穴に、上ルーパ糸３３および下ルーパ糸３４は加圧気体を利用して自動的に糸を通すための糸通し器３５を経て上ルーパ２７、下ルーパ２１の糸口にそれぞれ通す。
このように糸通しが終了した後、縫い動作を開始すると駆動軸３が回転し、その一回転において駆動軸３に設けられた針駆動偏心カム４に枢着された針駆動ロッド５によって針駆動腕６は一往復の揺動運動を行うので、右針９Ａおよび左針９Ｂは一往復の上下運動を行う。この際、駆動軸３に固着された糸供給駆動部プーリ３０１は、タイミングベルト３０３、糸供給駆動軸プーリ３０２および糸供給駆動軸３０４を介して糸把持駆動カム３０７を一回転させる。この糸把持駆動カム３０７が一回転する間に、上流側把持器開放腕３１１および下流側把持器開放腕３１２が糸把持駆動カム３０７の正面カムによって交互に揺動運動を行う。これにより、上流側把持軸４２および下流側把持軸７２は上流側把持器開放腕３１１および下流側把持器開放腕３１２によって、右方に交互に移動しながら往復運動するので、左針糸上流側把持器４０、右針糸上流側把持器４１、上ルーパ糸上流側把持器５０、下ルーパ上流側把持器６０を縫目形成時に閉成させ、布送り時に開成させ、左針糸下流側把持器７０、右針糸下流側把持器７１、上ルーパ糸下流側把持器８０、下ルーパ糸下流側把持器９０を縫目形成時に開成させ、布送り時に閉成させることができる。
このような把持器の各糸を開成、閉成する動作と同時に、駆動軸３の一回転において駆動軸３に固定された振動子駆動カム３０６の溝３０６ａに嵌合するカムフォロワ５２５と連動する振動子５０３、５０４は、一往復運動を行う。この際、左針糸３１、右針糸３２、上ルーパ糸３３、下ルーパ糸３４はそれぞれ振動子５０３、５０４の各傾斜部ＳＳにより、糸供給ユニット基板５０１および糸供給ユニット前板５０２に形成された各一対の糸案内Ｇ１、Ｇ２に整致する糸道点Ｓに導入される。この振動子５０３、５０４の往復運動により左針糸３１、右針糸３２、上ルーパ糸３３、下ルーパ糸３４は、縫目形成装置１００の１縫目に必要な縫糸量として偏倚・開放される。
なお、２本針オーバロック縫、１本針オーバロック縫、巻ロック縫、変形巻ロック縫をそれぞれ選択したい場合には、縫目切換手段５００の縫目選択ダイヤル５６０を回転させることにより切換える。例えば、２本針オーバロック縫を縫目選択ダイヤル５６０で選択すると図１４に示すように、縫目切換カム板５５０が最も左方へ位置するので、縫目切換カム板５５０のルーパ糸補正カム５５０ｂに係合しているルーパ糸補正カムフォロワ５５３が、ルーパ糸補正カム５５０ｂに沿って上昇する。ルーパ糸補正カムフォロワ５５３が上昇すると、滑車５５５が偏倚調節板５１３のカム溝５１３ａの最上段位置に上がるので縫幅調節連動ワイヤ４１０が引き上げられ、この縫幅調節連動ワイヤ４１０が引っ掛けられた上ルーパ糸偏倚子５３０を左方へ変移する。この際、下ルーパ糸偏倚子５３１も引張ばね５３２の引張力により左方へ変移する。これにより、上ルーパ糸偏倚子５３０および下ルーパ糸偏倚子５３１と、上ルーパ糸振動子５０３ｃ、５０４ｃおよび下ルーパ糸振動子５０３ｄ、５０４ｄとは図１８（ａ）に示すように、左針９Ａ、右針９Ｂが上死点に位置する場合において、上ルーパ糸３３および下ルーパ糸３４の偏倚量が最も多くなるような位置関係になる。これは図１９に示すように、後述する１本針オーバロック縫、巻ロック縫、変形巻ロック縫に比べて針幅ＷＬ分だけ上ルーパ糸３３および下ルーパ糸３４の縫幅Ｗが増えるからである。
また、１本針オーバロック縫を縫目選択ダイヤル５６０で選択すると図１５に示すように、縫目切換カム板５５０が２本針オーバロック縫よりも右方へ移動するので、縫目切換カム板５５０のルーパ糸補正カム５５０ｂに係合しているルーパ糸補正カムフォロワ５５３が、ルーパ糸補正カム５５０ｂに沿って下方へ移動する。ルーパ糸補正カムフォロワ５５３が下降すると、滑車５５５が偏倚調節板５１３のカム溝５１３ａの中段位置に下がるので縫幅調節連動ワイヤ４１０が下がり、この縫幅調節連動ワイヤ４１０が引っ掛けられた上ルーパ糸偏倚子５３０は引張ばね５３３の引張力により右方へ変移する。この際、下ルーパ糸偏倚子５３１も引張ばね５３２の引張力により右方へ変移する。これにより、上ルーパ糸偏倚子５３０および下ルーパ糸偏倚子５３１と、上ルーパ糸振動子５０３ｃ、５０４ｃおよび下ルーパ糸振動子５０３ｄ、５０４ｄとは図１８（ｂ）に示すように、左針９Ａ、右針９Ｂが上死点に位置する場合において、上ルーパ糸３３および下ルーパ糸３４の偏倚量が２本針オーバロック縫に比べて減量するような位置関係になる。これは図２０に示すように、２本針オーバロック縫に比べて針幅ＷＬ分だけ上ルーパ糸３３および下ルーパ糸３４の縫幅Ｗが減るからである。
また、巻ロック縫を縫目選択ダイヤル５６０で選択すると図１６に示すように、縫目切換カム板５５０が１本針オーバロック縫よりも右方へ移動するので、縫目切換カム板５５０のルーパ糸補正カム５５０ｂに係合しているルーパ糸補正カムフォロワ５５３が、ルーパ糸補正カム５５０ｂに沿って最下端へ移動する。ルーパ糸補正カムフォロワ５５３が最下端へ下降すると、滑車５５５が偏倚調節板５１３のカム溝５１３ａの最下段位置に下がるので縫幅調節連動ワイヤ４１０が下がり、この縫幅調節連動ワイヤ４１０が引っ掛けられた上ルーパ糸偏倚子５３０は引張ばね５３３の引張力により右方へ変移する。この際、下ルーパ糸偏倚子５３１も引張ばね５３２の引張力により右方へ変移する。これにより、上ルーパ糸偏倚子５３０および下ルーパ糸偏倚子５３１と、上ルーパ糸振動子５０３ｃ、５０４ｃおよび下ルーパ糸振動子５０３ｄ、５０４ｄとは図１８（ｃ）に示すように、左針９Ａ、右針９Ｂが上死点に位置する場合において、上ルーパ糸３３および下ルーパ糸３４の偏倚量が１本針オーバロック縫に比べて減量するような位置関係になる。これは図２１に示すように布を巻き込むので、１本針オーバロック縫に比べて上ルーパ糸３３および下ルーパ糸３４の縫幅Ｗが減るからである。
さらに、変形巻ロック縫を縫目選択ダイヤル５６０で選択すると図１７に示すように、縫目切換カム板５５０が巻ロック縫よりも右方へ移動するので、縫目切換カム板５５０のルーパ糸補正カム５５０ｂに係合しているルーパ糸補正カムフォロワ５５３が、ルーパ糸補正カム５５０ｂに沿って上昇する。ルーパ糸補正カムフォロワ５５３が上昇すると、滑車５５５が偏倚調節板５１３のカム溝５１３ａの中段位置に上がるので縫幅調節連動ワイヤ４１０が引き上げられ、この縫幅調節連動ワイヤ４１０が引っ掛けられた上ルーパ糸偏倚子５３０は１本針オーバロックと同じ位置へ変移する。この際、縫目切換カム板５５０の巻ロック切換カム５５０ａに係合している巻ロックカムフォロワ５５６が、巻ロック切換カム５５０ａに沿って上昇するので、巻ロック切換駒５５８ａが端面カム５３０ｃおよび端面カム５３１ｂを介して上ルーパ糸偏倚子５３０の挿入口５３０ｄと下ルーパ糸偏倚子５３１の挿入口５３１ｃとは離間される。これにより、上ルーパ糸偏倚子５３０と上ルーパ糸振動子５０３ｃ、５０４ｃ  とは図１８（ｄ）に示すように、左針９Ａ、右針９Ｂが上死点に位置する場合において、上ルーパ糸３３の偏倚量が巻ロック縫に比べて増量するような位置関係になる。また、下ルーパ糸偏倚子５３１と下ルーパ糸振動子５０３ｄ、５０４ｄとは左針９Ａ、右針９Ｂが上死点に位置する場合において、下ルーパ糸３４の偏倚量が巻ロック縫に比べて減量するような位置関係になる。これは図２２に示すように、１縫目に必要な上ルーパ糸３３が布の縫幅Ｗの表裏を包み込み、下ルーパ糸３４が布の裏面で上ルーパ糸３３に直結されるからである。
このような本実施の一形態である糸供給装置の具体的な糸供給動作を、上ルーパ糸上流側把持器５０、上ルーパ糸下流側把持器８０、上ルーパ糸振動子５０３ｃ、５０４ｃ、上ルーパ糸偏倚子５３０によって説明する。
布送り時は図８（ｂ）に示すように、上流側把持軸４２が上流側把持器開放腕３１１によって押圧されるので、上ルーパ糸上流側把持器５０の一対の把持皿４４に対する圧縮ばね４６からの弾撥力がスラスト受４７およびばね受４５の右方への移動により弱くなり、上ルーパ糸上流側把持器５０は開成される。また、このときには下流側把持軸７２が下流側把持器開放腕３１４によって押圧されないので、圧縮ばね４６の弾撥力がばね受４５を介して一対の把持皿４４に付与される。これにより、上ルーパ糸下流側把持器８０は閉成される。この際、上ルーパ糸振動子５０３ｃ、５０４ｃが、上ルーパ糸３２を糸巻５２から引出しながら右方へ移動する。したがって、縫目形成装置１００の１縫目に必要な縫糸量として偏倚することができる。
また縫目形成時は図８（ａ）に示すように、上流側把持軸４２が上流側把持器開放腕３１１によって押圧されないので、上ルーパ糸上流側把持器５０の圧縮ばね４６の弾撥力がばね受４５を介して一対の把持皿４４に付与される。これにより、上ルーパ糸上流側把持器５０は閉成される。また、このときには、下流側把持軸７２が下流側把持器開放腕３１４によって押圧されるので、上ルーパ糸下流側把持器８０の一対の把持皿４４に対する圧縮ばね４６からの弾撥力がスラスト受４７およびばね受４５の右方への移動により弱くなり、上ルーパ糸下流側把持器８０は開成される。この際、上ルーパ糸振動子５０３ｃ、５０４ｃが、左方へ移動することから、縫目形成装置１００の１縫目に必要な縫糸量として開放することができる。
なお、左針糸上流側把持器４０、左針糸振動子５０３ａ、５０４ａ、針糸偏倚子５１４、左針糸下流側把持器７０と、右針糸上流側把持器４１、右針糸振動子５０３ｂ、５０４ｂ、針糸偏倚子５１４、右針糸下流側把持器７１と、下ルーパ糸上流側把持器６０、下ルーパ糸振動子５０３ｄ、５０４ｄ、下ルーパ糸偏倚子５３１、下ルーパ糸下流側把持器９０とにおいても、同様の糸供給動作をするのは言うまでもない。
このような糸供給装置において、布に縫目形成を行なうときの縫幅を変更して糸の縫糸量を調整する場合には、縫幅調節ダイヤル８０２を回して、糸調子微調整手段４００の縫幅調節連動ワイヤ４１０を介して上ルーパ糸偏倚子５３０および下ルーパ糸偏倚子５３１を変移させる。即ち、縫幅調節ダイヤル８０２が縫幅が広くなるように設定されているときには、縫幅調節連動ワイヤ４１０が引張られるので、上ルーパ糸偏倚子５３０および下ルーパ糸偏倚子５３１は左方に変移する。これにより、上ルーパ糸振動子５０３ｃ、５０４ｃおよび下ルーパ糸振動子５０３ｄ、５０４ｄによる上ルーパ糸３３および下ルーパ糸３４の偏倚量を増量することができるので、図１９、図２０、図２１、図２２に示す縫幅Ｗが広いときの縫糸量分を増量できる。
また、縫幅調節ダイヤル８０２が縫幅が狭くなるように設定されているときには、縫幅調節連動ワイヤ４１０が弛緩されるので、上ルーパ糸偏倚子５３０および下ルーパ糸偏倚子５３１は引張ばね５３３によって引張られ右方に変移する。これにより、上ルーパ糸振動子５０３ｃ、５０４ｃおよび下ルーパ糸振動子５０３ｄ、５０４ｄによる上ルーパ糸３３および下ルーパ糸３４の偏倚量を減量することができるので、図１９、図２０、図２１、図２２に示す縫幅Ｗが狭いときの縫糸量分を減量できる。
また、布に縫目形成を行なうときの縫目送り量の変更に対応して糸の縫糸量を調整する場合には、送り目調節ダイヤル９３０を回して、調節腕９３４に固定された縫目送り調節腕４２１を回転させ、糸調子微調整手段４００の縫目送り調節連動ワイヤ４２０を介して縫目送り調節偏倚レバー５２０を回転させる。これにより、縫目送り調節偏倚レバー５２０の針糸偏倚子駆動軸５２０ａに係合している針糸偏倚子５１４が変移する。同時に、縫目送り調節偏倚レバー５２０に連接リンク５１７を介して連結されている偏倚調節板５１３が変移することから、偏倚調節板５１３のカム溝５１３ａに係合している滑車５５５が変移するので、縫幅調節連動ワイヤ４１０を介して上ルーパ糸偏倚子５３０および下ルーパ糸偏倚子５３１が変移する。
したがって、図１９、図２０、図２１、図２２に示す縫目送りピッチＰを変えるために送り目調節ダイヤル９３０を回すと、針糸偏倚子５１４を、糸調子微調整手段４００を介して縫目送り調節部９００に連動させることができるので、送り目調節ダイヤル９３０の操作に応じ変化する１縫目に必要な縫糸量に対応させることができる。この際、縫目送りピッチＰが変化すると、左針糸３１および右針糸３２だけではなく上ルーパ糸３３および下ルーパ糸３４の縫糸量も若干変わることになるので、上ルーパ糸偏倚子５３０および下ルーパ糸偏倚子５３０も糸調子微調整手段４００を介して縫目送り調節部９００に連動することになる。
なお、糸供給装置は、針糸偏倚子５１４、ルーパ糸偏倚子５３０および下ルーパ糸偏倚子５３１を布押え１０５０による布厚に応じて変化する１縫目に必要な縫糸量に対応して連動させて駆動するために、図１３、図２３に示すような布厚調節連動手段７００を設けてもよい。この布厚調節連動手段７００は機枠１にかしめ段ピン７０２にて回動自在に固定された布厚検出腕７０１によって、針糸偏倚子５１４、ルーパ糸偏倚子５３０および下ルーパ糸偏倚子５３１を布厚に連動させる。具体的には、かしめ段ピン７０２による取付位置を中心に、布厚検出腕７０１の一端が布押え１０５０を機枠１に取付けるための押棒１０５１に固定された布厚検出ピン７０３に係合される。また、他端は滑車４２４Ｂから導かれる縫目送り調節連動ワイヤ４２０を引っ掛けるための滑車５２４が、かしめ段軸７０４によって回動自在に固定される。これにより、滑車５２４が上述のオーバロックミシンのように糸供給ユニット基板５０１の滑車軸５２３に固定されていないので、布押え１０５０に連動することができるようになる。
このような布厚調節連動手段７００は、布に縫目形成を行なうときに布押え１０５０による布押え量が布厚によって変化すると、押棒１０５１に固定された布厚検出腕７０１がその変化に応じて回転する。この布厚検出腕７０１の回転動作により縫目送り調節連動ワイヤ４２０を介して縫目送り調節偏倚レバー５２０が回転するので、針糸偏倚子５１４、ルーパ糸偏倚子５３０および下ルーパ糸偏倚子５３１が変移することになる。したがって、布押え１０５０による布厚に応じて変化する１縫目に必要な縫糸量に対応して、針糸偏倚子５１４、ルーパ糸偏倚子５３０および下ルーパ糸偏倚子５３１が変移することになる。
なお、本実施の一形態においては一対の振動子５０３、５０４に対して、左針糸振動子５０３ａ、５０４ａ、右針糸振動子５０３ｂ、５０４ｂ、上ルーパ糸振動子５０３ｃ、５０４ｃ、下ルーパ振動子５０３ｄ、５０４ｄをそれぞれ形成させていたが、これに限らず、これら各振動子を個別に設けてもよい。
また、本実施の一形態においてはオーバーロックミシンの糸供給装置を２本針４本糸オーバロックミシンに適用させていたが、これに限らず、１本針３本糸オーバロックミシンにも適用させることができる。
【発明の効果】
以上、説明したように、本発明のオーバーロックミシンの糸供給装置によれば、振動子によって縫糸を偏倚、開放するだけで１縫目に必要な縫糸量として、縫糸を縫目形成装置に供給することができるので、機構を簡素化できる。また、振動子により偏倚される偏倚量を調節する偏倚子によって、布に縫目形成を行う縫幅、縫目送り量および（または）布押えによる布厚に応じ変化する１縫目に必要な縫糸量に対応させるので、針の本数や変形巻ロック縫に対応させることができる。したがって、オーバロックミシンの製造の精度を確保することができ、また耐久性も向上し、高速縫製に対応させることができる。
また、縫目形成装置に連動させて上流側把持器、下流側把持器および振動子を駆動することができるので、糸調子作業を行わずに適正な糸調子を得ることができる。
【図面の簡単な説明】
【図１】  本発明のオーバーロックミシンの糸供給装置が適用されるオーバロックミシンを示す全体斜視図。
【図２】  図１のオーバロックミシンの上ルーパおよび下ルーパを駆動させるための機構を示す斜視図。
【図３】  図１のオーバロックミシンの縫目送り調節部の機構を示す斜視図。
【図４】  図１のオーバロックミシンの縫幅調節部の機構を示す分解斜視図。
【図５】  本発明のオーバーロックミシンの糸供給装置が適用されるオーバロックミシンを示す外観斜視図。
【図６】  本発明のオーバーロックミシンの糸供給装置を示す斜視図。
【図７】  本発明のオーバーロックミシンの糸供給装置の上流側把持器および糸供給駆動部を示す分解斜視図。
【図８】  本発明のオーバーロックミシンの糸供給装置の上流側把持器および下流側把持器を示す断面図で、（ａ）は閉成状態の図、（ｂ）は開成状態の図。
【図９】  本発明のオーバーロックミシンの糸供給装置の下流側把持器を示す分解斜視図。
【図１０】  本発明のオーバーロックミシンの糸供給装置の振動子および偏倚子を示す分解斜視図。
【図１１】  本発明のオーバーロックミシンの糸供給装置の振動子と、糸供給駆動部の振動子駆動カムとの関係を示す説明図。
【図１２】  本発明のオーバーロックミシンの糸供給装置の縫目切換手段を示す分解斜視図。
【図１３】  本発明のオーバーロックミシンの糸供給装置の糸調子微調整手段を示す解斜視図。
【図１４】  本発明のオーバーロックミシンの糸供給装置の縫目切換手段によって２本針オーバーロック縫を選択した場合の針糸偏倚子、上ルーパ糸偏倚子および下ルーパ糸偏倚子の移動位置を示す説明図。
【図１５】  本発明のオーバーロックミシンの糸供給装置の縫目切換手段によって１本針オーバーロック縫を選択した場合の針糸偏倚子、上ルーパ糸偏倚子および下ルーパ糸偏倚子の移動位置を示す説明図。
【図１６】  本発明のオーバーロックミシンの糸供給装置の縫目切換手段によって巻ロック縫を選択した場合の針糸偏倚子、上ルーパ糸偏倚子および下ルーパ糸偏倚子の移動位置を示す説明図。
【図１７】  本発明のオーバーロックミシンの糸供給装置の縫目切換手段によって変形巻ロック縫を選択した場合の針糸偏倚子、上ルーパ糸偏倚子および下ルーパ糸偏倚子の移動位置を示す説明図。
【図１８】  針が上死点に位置する場合における糸供給ユニット基板、振動子、偏倚子および糸供給ユニット前板の配置を示す図で、（ａ）は２本針オーバーロック縫の配置図、（ｂ）は１本針オーバーロック縫の配置図、（ｃ）は巻ロック縫の配置図、（ｄ）は変形巻ロック縫の配置図。
【図１９】  図１に示すオーバロックミシンによる２本針オーバロック縫の縫目を示す説明図。
【図２０】  図１に示すオーバロックミシンによる１本針オーバロック縫の縫目を示す説明図。
【図２１】  図１に示すオーバーロックミシンによる巻ロック縫の縫目を示す説明図。
【図２２】  図１に示すオーバーロックミシンによる変形巻ロック縫の縫目を示す説明図。
【図２３】  本発明のオーバロックミシンに布厚調節連動手段を適用した状態を示す全体斜視図。
【符号の説明】
９Ａ・・・・左針
９Ｂ・・・・右針
２１・・・・下ルーパ
２７・・・・上ルーパ
３１・・・・左針糸
３２・・・・右針糸
３３・・・・上ルーパ糸
３４・・・・下ルーパ糸
５１、５２、５３、５４・・・・糸巻
１００・・・・縫目形成装置
４０・・・・左針糸上流側把持器
４１・・・・右針糸上流側把持器
５０・・・・上ルーパ糸上流側把持器
６０・・・・下ルーパ糸上流側把持器
７０・・・・左針糸下流側把持器
７１・・・・右針糸下流側把持器
８０・・・・上ルーパ糸下流側把持器
９０・・・・下ルーパ糸下流側把持器
５０３ａ、５０４ａ・・・・左針糸振動子
５０３ｂ、５０４ｂ・・・・右針糸振動子
５０３ｃ、５０４ｃ・・・・上ルーパ糸振動子
５０３ｄ、５０４ｄ・・・・下ルーパ糸振動子
５１４・・・・針糸偏倚子
５３０・・・・上ルーパ糸偏倚子
５３１・・・・下ルーパ糸偏倚子
４００・・・・糸調子微調整手段（切換手段）
５００・・・・縫目切換手段
Ｇ１、Ｇ２・・・・一対の糸案内
Ｅ・・・・挿入口
Ｓ・・・・糸道点
ＳＳ・・・・傾斜部
【図１】
0003877829.tif 000002
【図２】
0003877829.tif 000003
【図３】
0003877829.tif 000004
【図４】
0003877829.tif 000005
【図５】
0003877829.tif 000006
【図６】
0003877829.tif 000007
【図７】
0003877829.tif 000008
【図８】
0003877829.tif 000009
【図９】
0003877829.tif 000010
【図１０】
0003877829.tif 000011
【図１１】
0003877829.tif 000012
【図１２】
0003877829.tif 000013
【図１３】
0003877829.tif 000014
【図１４】
0003877829.tif 000015
【図１５】
0003877829.tif 000016
【図１６】
0003877829.tif 000017
【図１７】
0003877829.tif 000018
【図１８】
0003877829.tif 000019
【図１９】
0003877829.tif 000020
【図２０】
0003877829.tif 000021
【図２１】
0003877829.tif 000022
【図２２】
0003877829.tif 000023
【図２３】
0003877829.tif 000024